(57)【要約】【課題】品物を仕舞った収納場所と収納箱を電子ペンとボタン操作だけで探し出し、どこの収納場所のどの収納箱にはどんな品物があるか確認もできる。【解決手段】電子ペン31で、Ａ画面1に収納場所を、Ｂ画面3に収納箱を、Ｃ画面5には品物を記入し、かつ必要なら内蔵デジカメ25で収容場所確認用の場所を撮り込み、これらの情報は各記憶部に格納され、共通情報処理部で関連付けられ、探したい品物名をＤ画面17に記入し、｛品物｝ボタン10を押すと、その収納場所がＡ画面1に、収納箱がＢ画面3に、品物が当該箱内の品物一覧と共にＣ画面5に表示されるし、またどこの収納場所のどの収納箱にはどんな品物があるかは、{場所}ボタン8で収納場所一覧から収納場所を確定し、必要なら画像で確認し、次に{収納箱}ボタン10で収納箱一覧から収納箱を確定すると、当該箱内の品物一覧が表示され、品物が複数の収納場所や収納箱にある場合は点滅表示27で知らせる。【選択図】図１
2010097245.tif 000002
【特許請求の範囲】
【請求項１】
電子ペンで、Ａ画面に収納場所名を、Ｂ画面に収納箱名を、Ｃ画面には品物名を各記入し、かつ必要なら内蔵デジカメで場所確認用の収納場所を撮り込み、これらの情報は各記憶部に格納され共通情報処理部で関連付けられ、探したい品物名を電子ペンでＤ画面に記入し｛品物｝ボタンを押すと、当該品物と一致する、収納場所がＡ画面に表示され、必要なら当該場所を画像/表示画面ボタンでＣ画面にて画像を確認もでき、収納箱はＢ画面に、品物はＣ画面に収納箱内の品物一覧とともに表示されるが、当該品物名が複数の場所や箱にある場合は点滅表示で知らせる、品物名から収納場所と収納箱を電子ペンとボタン操作だけで探し出すことを特徴とする家庭用の品物と収納場所を探し出す機器。
【請求項２】
どこの収納場所のどの収納箱にどんな品物が収納されているか調べるには、｛場所｝ボタンを押し、Ｃ画面に収納場所一覧を表示し、探したい収納場所名の数字を押すと、Ａ画面に当該収納場所名が表示され、必要なら画像をＣ画面に画像/表示画面ボタンで確認して、次に｛収納箱｝ボタンを押すと、Ｃ画面に収納箱一覧が表示されるので、探したい収納箱名の数字を押すと、Ｂ画面に当該収納箱名が、同時にＣ画面には当該収納箱内の品物一覧が表示されるボタン操作だけで出来ることを特徴とする請求項１の記載の家庭用の品物と収納場所を探し出す機器。
【発明の詳細な説明】
【技術分野】
【０００１】
この発明は、品物を何処に収納したか探す場合に、電子ペンで品物名を記入することによって、どこの収納場所の必要なら画像から確認もできる、どの収納箱に仕舞ったのかを探し出す事ができ、またどの収納場所のどの収納箱にはどんな品物を仕舞ったかを、ボタン操作だけで調べる事のできる家庭用の「品物と収納場所を探し出す機器」。
【背景技術】
【０００２】
従来はメモで残しておくか、パソコンに入力して印刷するなど面倒くさく、また記憶頼りだと、何処に仕舞ったか忘れてしまうなど、デッドストックになりやすく有効利用されにくかった。
また下記文献によると、コンピュータ入力も入力後に品物の場所を探すことも操作が複雑であり、自ら収納場所を写真撮影での画像確認もできず、家庭で使用するには不便であり、誰もが簡単・容易に探し出せるようにした。
【特許文献１】特開2001-297097号公報
【発明の開示】
【発明が解決しようとする課題】
【０００３】
そこで、この発明は、図1に示すように、品物を収納した場所を探すに当たり、品物名を電子ペンで記入することによって、その収納場所を見つけることができるが、ボタン操作だけで何処の収納場所の、必要なら画像で確認してから、どの収納箱にどのような品物があるか品物の一覧を表示して、調べることもできる家庭用の「品物と収納場所を探し出す機器」を提供することを課題とする。
【課題を解決するための手段】
【０００４】
電子ペンで、Ａ画面に収納場所名を、Ｂ画面に収納箱名を、Ｃ画面には品物名を各記入し、かつ必要なら内蔵デジカメで場所確認用の収納場所を撮り込み、これらの情報は各記憶部に格納され共通情報処理部で関連付けられ、探したい品物名を電子ペンでＤ画面に記入し｛品物｝ボタンを押すと、当該品物と一致する、収納場所がＡ画面に表示され、必要なら当該場所を画像/表示画面ボタンでＣ画面にて画像を確認もでき、収納箱はＢ画面に、品物はＣ画面に収納箱内の品物一覧とともに表示されるが、当該品物名が複数の場所や箱にある場合は点滅表示で知らせる、品物名から収納場所と収納箱を電子ペンとボタン操作だけで探し出すことができるようにした。
【０００５】
｛場所｝ボタンを押し、Ｃ画面に収納場所一覧を表示し、探したい収納場所名の数字を押すと、Ａ画面に当該収納場所名が表示され、必要なら画像をＣ画面に画像/表示画面ボタンで確認して、次に｛収納箱｝ボタンを押すと、Ｃ画面に収納箱一覧が表示されるので、探したい収納箱名の数字を押すと、Ｂ画面に当該収納箱名が、同時にＣ画面には当該収納箱内の品物一覧が表示されるボタン操作だけで出来るようにした。
【発明の効果】
【０００６】
本発明により、収納場所名や収納箱名や品物名の入力は電子ペンで記入し、探したい品物は品物名を電子ペンで記入すると、その品物のある収納場所と収納箱が表示され、またボタン操作だけで、どこの収納場所のどの収納箱にどんな品物が収納されているか、探し出す事ができる簡単・便利な家庭用の機器である。
【発明を実施するための最良の形態】
【０００７】
この発明の一実施形態は、図２に示すように、電子ペン31で手書記入された情報は、Ａ画面1に記入の収納場所名がＡ画面出入力記憶部19で処理され、Ｂ画面3に記入の収納箱名はＢ画面出入力記憶部20で処理され、Ｃ画面5に記入の品物名はＣ-1画面出入力記憶部21で処理され、且つ内蔵デジカメ25で撮り込んだ画像はＣ-2画像出入力記憶部22で処理され、共通情報処理部30で関連付けられて格納される。
【０００８】
同じく、図２に示すように、電子ペン31でＤ画面17に品物名を記入すると、Ｄ画面出入力記憶部24の情報がＣ-1画面出入力記憶部21の情報と共通情報読取処理部28で一致すると、共通情報処理部30で関連付けられた収納場所名をＡ画面1に表示し、必要ならＣ-1画面出入力記憶部21から選択処理部23でＣ-2画像出入力記憶部22を選択し、当該品物名のある収納場所の画像を読出し、共通確認処理部29でＡ画面出入力記憶部19の情報が一致するとＣ画面5に表示され確認もでき、収納箱名はＢ画面3に表示され、当該品物名はＣ画面5に当該収納箱内の品物一覧とともに表示されるが、当該品物名が複数の収納場所や収納箱にある場合は点滅表示27で知らせる、全ての情報は内蔵ＣＰＵ26で処理される。
【０００９】
以上の課題を解決するために、第一は、図1に示すように、まず電子ペン31でＡ画面1に収納したい場所名を記入して、Ａの確定・空欄ボタン２を押すと入力確定となる。次にＢ画面3に収納箱名を記入して、Ｂの確定ボタン４を押すと入力確定となる。その状態で、Ｃ画面5に収納する品物を仕舞いたいだけの品物を記入して、Ｃの確定ボタン６を押すと入力確定となる。Ｃ画面5に記入しきれない場合は｛次ページ｝7ボタンを押して次ページを表示し、品物名を記入していく。各表示画面ＯＫなら、Ａ,Ｂ,Ｃの各ボタンを順次再度押すと、Ａ,Ｂ,Ｃの画面は空欄となり、次の書き込みが出来る状態になる。
【００１０】
また、第二は、図1に示すように、品物を何処に仕舞ったか探すには、Ｄ画面17に品物名を電子ペン31で記入して｛品物｝ボタン18を押すと、Ａ画面1に収納場所名が、Ｂ画面3に収納箱名が表示され、Ｃ画面5には当該箱内の品物一覧とともに当該品物が表示されるが、必要なら収納場所の画像に画像/表示画面ボタン15で切り換えて当該収納場所の確認もできるし、Ｄ画面17に表示した品物名が複数の収納場所や収納箱にある場合は点滅表示27で知らせる。
【００１１】
また、第三は、どこの収納場所のどの収納箱内にどんな品物があるかを見るには、図1に示すように、｛場所｝ボタン８を押すと、収納場所一覧がＣ画面５に表示される。その収納場所を選択してＡ画面1に表示するには、当該収納場所名の数字９を押すと、Ａ画面1に表示されるので、確定するならＡの確定ボタン２を押す。同じく｛収納箱｝ボタン10を押すと、収納箱一覧がＣ画面５に表示されるので、Ｂ画面３に表示したい収納箱は当該収納箱名にある数字９を押すと、Ｂ画面３に表示され、同時にＣ画面５に当該収納箱内の品物一覧が表示される。
【００１２】
次に、第四は、図1に示すように、消したい収納場所がある場合には、まず｛消去｝ボタン11を押してから、次に{場所}ボタン８を押し、Ｃ画面５に収納場所一覧が表示されたら、当該収納場所名の数字９を押す。同じく、消したい収納箱がある場合には、｛消去｝ボタン11を押してから、{収納箱}ボタン10を押し、Ｃ画面５に収納箱一覧が表示されたら、当該収納箱名の数字9を押す。同じく、消したい品物名も上記の処理と同じである。また消された画面は自動的に順次繰り上がって表示される。並び替える場合は｛並替｝ボタン12を押す。またＤ画面の間違い記入を消すには｛消去｝ボタン11を押し｛品物｝ボタン18を押す。  
【００１３】
また、第五は、図1に示すように、収納場所確認用の写真を撮りたい場合には、Ａ画面1に収納場所名を記入し、または既に記憶された収納場所名を表示して、Ａの確定ボタン2を押してから、内蔵デジカメ25の電源13を入れると、Ｃ画面5に画像表示の可能な画面になり、その画面を見ながら、所定の位置にピントを合わせて、シャッターボタン14を押すと、当該収納場所が撮れて確定する。また、この画像で場所の確認を終え、収納箱一覧・品物一覧の画面に表示を切り換えるには、画像/表示画面ボタン15を押す。また画像を消すには、消したい画像を表示して、画像消去ボタン16を押す。      
【図面の簡単な説明】
【００１４】
【図１】この発明の一実施形態を示す斜視図である。
【図２】この発明の装置内の構成を示した説明図である。
【符号の説明】
【００１５】
１  Ａ画面                                  
２  Ａ画面の確定/空欄ボタン            
３  Ｂ画面                                  
４  Ｂ画面の確定/空欄ボタン              
５  Ｃ画面                                
６  Ｃ画面の確定/空欄ボタン            
７｛次ページ｝ボタン                      
８｛収納場所｝ボタン                      
９  Ｃ画面表示の項目数字                  
１０｛収納箱｝ボタン                        
１１  Ｃ画面表示の項目｛消去｝ボタン        
１２｛並替｝ボタン                          
１３  カメラの電源ボタン                    
１４  シャッター                            
１５  画像/表示画面ボタン                
１６  画像消去ボタン                        
１７  Ｄ画面
１８｛品物｝ボタン
１９  Ａ画面出入力記憶部
２０  Ｂ画面出入力記憶部
２１  C-1画面出入力記憶部
２２  C-2画像出入力記憶部
２３  選択処理部
２４  Ｄ画面出入力記憶部
２５  カメラ
２６  ＣＰＵ
２７  点滅表示  
２８  共通情報読取処理部
２９  共通確認処理部
３０  共通情報処理部
３１  電子ペン
３２  バッテリー
【図１】
2010097245.tif 000003
【図２】
2010097245.tif 000004